(57)【特許請求の範囲】
【請求項１】
ポリエステル繊維衣料製品を、大気圧下で、過熱水蒸気により、所定温度、時間晒すことにより、無地染、絞り縛りスプレー他手工、及び薬剤糊を担体に着け製品に転着することによる着抜染の少なくともいずれかを含む後染め加工表現を加える
衣料製品加工方法。
【請求項２】
ポリエステル繊維衣料製品を加工する方法であって、
上記ポリエステル繊維衣料製品に対して、薬剤による、各種担体を用い、転着処理、スプレー処理、及び刷毛塗りを含む手工処理の少なくともいずれかの前処理を行い、
過熱水蒸気により、所定温度、時間晒すことで、フェード、ブリーチ、ケミカル、アタリ、及びパッカリング表現、並びに製品の生地に形質変化、視覚触覚変化を付与し、更に機能薬剤処理による機能付与を行う
衣料製品加工方法。
【請求項３】
ハンガー懸架カセットと、加熱ドライエアー及び常温エアーを排出する熱交換機と前記加熱ドライエアー及び常温ドライエアーを導出する加熱エアーパイプと過熱水蒸気を排出する過熱水蒸気発生器と前記過熱水蒸気を導出する過熱水蒸気投入パイプとを備えた蒸熱処理ボックスと、からなる衣料製品加工装置による衣料製品加工方法であって、
ポリエステル繊維衣料製品を複数枚吊るす前記ハンガー懸架カセットを、前記蒸熱処理ボックスに投入する工程と、
前記加熱ドライエアーによる予熱工程と、
前記過熱水蒸気による蒸熱工程と、
前記加熱ドライエアー及び前記常温エアーによる徐冷工程と、を有し、
前記ポリエステル繊維衣料製品に対して、薬剤による、各種担体を用い、転着処理、スプレー処理、及び刷毛塗りを含む手工処理の少なくともいずれかの前処理を行い、
前記蒸熱工程により、前記過熱水蒸気に所定温度、時間晒すことで、染色や着抜染、フェード、ブリーチ、ケミカル、アタリ、及びパッカリング表現、並びに製品の生地に形質変化、視覚触覚変化を付与し、更に機能薬剤処理による機能付与を行う
衣料製品加工方法。
【請求項４】
前記加熱ドライエアーは６０乃至１００℃であり、
前記過熱水蒸気は、大気圧下での飽和蒸気圧温度が１００乃至２００℃である
請求項３に記載の衣料製品加工装置。
【請求項５】
蒸熱処理ボックスと、
ハンガー懸架カセットと、を有し、
前記蒸熱処理ボックスは、
加熱ドライエアー及び常温エアーを排出する熱交換機と、
前記加熱ドライエアー及び常温エアーを導出する加熱エアーパイプと、
過熱水蒸気を排出する過熱水蒸気発生器と、
前記過熱水蒸気を導出する過熱水蒸気投入パイプと、を備え、
ポリエステル繊維衣料製品を複数枚吊るした前記ハンガー懸架カセットを、前記蒸熱処理ボックスに投入し、前記加熱ドライエアーによる予熱工程、前記過熱水蒸気による蒸熱工程、及び前記加熱ドライエアー及び前記常温エアーによる徐冷工程の各工程を経て、取り出す
衣料製品加工装置。
【請求項６】
前記加熱ドライエアーは６０乃至１００℃であり、
前記過熱水蒸気は、大気圧下での飽和蒸気圧温度が１００乃至２００℃である
請求項５に記載の衣料製品加工装置。
【請求項７】
前記過熱水蒸気を導出する過熱水蒸気投入パイプは、前記蒸熱処理ボックスの底面に配設置されており、
空気よりも比重が小さい、又は温度が高くなるほど空気よりも比重が小さくなる前記過熱水蒸気は、前記過熱水蒸気投入パイプより、前記蒸熱処理ボックスの下部から投入及び排気されることを特徴とする
請求項５に記載の衣料製品加工装置。
【発明の詳細な説明】
【技術分野】
【０００１】
本発明は、例えば合成繊維全般、特にナイロン、ＰＴＴ，ＰＬＡ、ポリエステル繊維の編物織物フィルム等からなる衣料製品の製品後加工を行う装置及び方法に係り、特にポリエステル繊維の編物織物フィルム等からなる衣料製品に対して、着抜染、フェード、ブリーチ、ケミカル加工等の白抜き表現、アタリ、パッカリング、生地の形質変化による触覚及び視覚変化、撥水、吸水速乾、保湿保温、ＵＶ加工等の各種機能を付与する衣料製品加工方法、及び衣料製品加工装置に関する。
【背景技術】
【０００２】
従来、天然の綿、麻、ウールなどの天然繊維からなる衣料製品に対する製品染色、洗い形質変化、機能付与については、一般的に広く行われている。【０００３】
一方、ポリエステル製品に対しては、密閉式の高温高圧染色機を使用した製品染色が一般的になされているが、密閉式の染色であることから表現上制約がある。このほか、顔料染色による製品染色も行われているが、顔料での染色性能にも制約がある。【０００４】
ここで、繊維製品の仕上げ加工について、例えば特許文献１では、処理トンネルに過熱蒸気を導入し、処理トンネルを繊維製品が通過することにより、処理対象となる繊維製品を大気圧下で飽和温度以上に加熱した過熱水蒸気に所定時間晒し、繊維製品の仕上げ処理を行う方法及び装置が開示されている。【０００５】
さらに、特許文献２では、繊維構造物に対して染液をパッドした後、遠赤外線を放射するセラミックを溶射したアルミニウムパイプをヒーターとしてスチーマーに配備し、同様に遠赤外線放射力をもつシリンダーを高熱処理部に配備して過熱水蒸気をヒーター又はシリンダー内に通し、遠赤外線輻射エネルギーを放射しながら過熱水蒸気をスチーマー又は処理室内に放出し、常圧における加熱水蒸気１００％の空気の無い状態で高温スチーミング処理する染色方法及び装置が開示されている。
【先行技術文献】
【特許文献】
【０００６】
【特許文献１】特開２００３−２２１７７４号公報
【特許文献２】特開２００７−９３５３号公報
【発明の概要】
【発明が解決しようとする課題】
【０００７】
しかしながら、特許文献１、２に開示された技術は、繊維製品の加工に過熱水蒸気を用いるものであるが、過熱水蒸気による蒸熱工程前における製品等の結露や薬剤滴下を防止することや、過熱水蒸気による蒸熱工程後の結露等を防止することについては、何ら考慮されていなかった。【０００８】
本発明は、このような課題に鑑みてなされたものであり、その目的とするところは、ポリエステル繊維等からなる衣料の縫製編立後製品に対して、染色、抜染、フェード、ブリーチ、ケミカルなどの白抜き表現、製品の生地、縫い糸、付属品の形質変化による触覚及び視覚変化、アタリ、パッカリングの表現などの各種機能付与に有効な衣料製品加工装置及び方法を提供することにある。【０００９】
さらに、過熱水蒸気による蒸熱工程前における製品等の結露や薬剤滴下を防止することや、過熱水蒸気による蒸熱工程後の結露等を防止することにある。
【課題を解決するための手段】
【００１０】
上記課題を解決するため、本発明の第１の態様に係る衣料製品加工方法は、ポリエステル繊維等の衣料製品を、大気圧下で、過熱水蒸気により、所定温度、時間晒すことにより、無地染、絞り縛りスプレー他手工、及び薬剤糊を担体に着け製品に転着することによる着抜染の少なくともいずれかを含む後染め加工表現を加える。【００１１】
そして、本発明の第２の態様に係る衣料製品加工方法は、ポリエステル繊維等の衣料製品を加工する方法であって、上記ポリエステル繊維衣料製品に対して、薬剤による、各種担体を用い、転着処理、スプレー処理、及び刷毛塗り等手工処理の少なくともいずれかの前処理を行い、過熱水蒸気により、所定温度、時間晒すことで、染色や着抜染、フェード、ブリーチ、ケミカル、アタリ、及びパッカリング表現、並びに製品の生地に形質変化、視覚触覚変化を付与し、更に機能薬剤処理による機能付与を行う。【００１２】
さらに、本発明の第３の態様に係る衣料製品加工方法は、ハンガー懸架カセットと、加熱ドライエアー及び常温エアーを排出する熱交換機と前記加熱ドライエアー及び常温ドライエアーを導出する加熱エアーパイプと過熱水蒸気を排出する過熱水蒸気発生器と前記過熱水蒸気を導出する過熱水蒸気投入パイプとを備えた蒸熱処理ボックスと、からなる衣料製品加工装置による衣料製品加工方法であって、ポリエステル繊維衣料製品を複数枚吊るす前記ハンガー懸架カセットを、前記蒸熱処理ボックスに投入する工程と、前記加熱ドライエアーによる予熱工程と、前記過熱水蒸気による蒸熱工程と、前記加熱ドライエアー及び前記常温エアーによる徐冷工程と、を有し、前記ポリエステル繊維衣料製品に対して、薬剤による、各種担体を用いる転着処理、スプレー処理、及び刷毛塗りを含む手工処理の少なくともいずれかの前処理を行い、前記蒸熱工程により、前記過熱水蒸気に所定温度、時間晒すことで、フェード、ブリーチ、ケミカル、アタリ、及びパッカリング表現、並びに製品の生地に形質変化、視覚触覚変化を付与し、更に機能薬剤処理による機能付与を行う。【００１３】
この第３の態様において、前記加熱ドライエアーは６０乃至１００℃であり、前記過熱水蒸気は、大気圧下での飽和蒸気圧温度が１００乃至２００℃である。【００１４】
そして、本発明の第４の態様に係る衣料製品加工装置は、蒸熱処理ボックスと、ハンガー懸架カセットと、を有し、前記蒸熱処理ボックスは、加熱ドライエアー及び常温エアーを排出する熱交換機と、前記加熱ドライエアー及び常温エアーを導出する加熱エアーパイプと、過熱水蒸気を排出する過熱水蒸気発生器と、前記過熱水蒸気を導出する過熱水蒸気投入パイプと、を備え、ポリエステル繊維衣料製品を複数枚吊るした前記ハンガー懸架カセットを、前記蒸熱処理ボックスに投入し、前記加熱ドライエアーによる予熱工程、前記過熱水蒸気による蒸熱工程、及び前記加熱ドライエアー及び前記常温エアーによる徐冷工程の各工程を経て、取り出す。【００１５】
この第４の態様において、前記加熱ドライエアーは６０乃至１００℃であり、前記過熱水蒸気は、大気圧下での飽和蒸気圧温度が１００乃至２００℃である。さらに、前記過熱水蒸気を導出する過熱水蒸気投入パイプは、前記蒸熱処理ボックスの底面に配設置されており、空気よりも比重が小さい、又は温度が高くなるほど空気よりも比重が小さくなる前記過熱水蒸気は、前記過熱水蒸気投入パイプより、前記蒸熱処理ボックスの下部から投入され上下部から排気されることを特徴とする。
【発明の効果】
【００１６】
したがって、本発明によれば、ポリエステル繊維等からなる衣料の縫製編立後製品に対して、染色、抜染、フェード、ブリーチ、ケミカルなどの白抜き表現、製品の生地、縫い糸、付属品の形質変化による触覚及び視覚変化、アタリ、パッカリングの表現などの各種機能付与に有効な衣料製品加工装置及び方法を提供することができる。
【図面の簡単な説明】
【００１７】
【図１】本発明の一実施形態に係る衣料製品加工装置の筐体の構成を示す図である。
【図２】本発明の一実施形態に係る衣料製品加工装置の一部であるハンガー懸架カセットの構成を示す図である。
【図３】本発明の一実施形態に係る衣料製品加工装置の一部である蒸熱処理ボックスの構成を示す図である。
【図４】図３の蒸熱処理ボックスにおける温度センサの配置を示す図である。
【図５】本発明の一実施形態に係る衣料製品加工方法の処理手順を示すフローチャートである。
【図６】タンブラー乾燥機の構成を示す図である。
【発明を実施するための形態】
【００１８】
本発明は、例えば、ポリエステル繊維等の編立縫製後製品に対する加工手段を新たに提供するものであり、染料や脱色剤を含む薬品処理と組み合わせ、又は製品単独で、当該編立縫製後製品に対して過熱水蒸気による加熱処理を行い、製品の染色、着抜染、白抜き効果、製品の生地部分に形質変化、及び縫い糸他副資材の変化を生じさせ、繊維製品の表情感性要素を整える新たな技術手段を提供するものである。
【００１９】
従来、例えば、ポリエステル繊維等からなる衣料製品に対して、ジーンズのような人工的経年変化表情を与える装置及び方法は存在しなかったが、本発明によれば、可抜性染料により先染めされたポリエステル繊維等からなる編立縫製後製品に対して、白色抜染によるフェード、ブリーチ、ケミカル、擦れ、アタリ、パッカリング表現、多色模様、縛り絞り手工文様などの各種表現を加えることを可能とする。
【００２０】
これを実現するために、本発明では、手工を伴う薬剤処理を行った衣料製品を吊るす複数のハンガーを収容する架台を、
・加熱ドライエアーによる予熱工程
・過熱水蒸気による蒸熱工程
・常温ドライエアーによる徐冷工程
の各工程を行う処理室を順次通過させることにより、処理対象のポリエステル衣料製品を大気圧下で過熱水蒸気過半の状態に所定温度、時間晒す気相中の加工とした。このとき、加工内容により、処理温度と加工時間を設定することも可能とした。
【００２１】
以下、図面を参照しつつ本発明の一実施形態について詳述する。
【００２２】
先ず、図１には、本実施形態に係る衣料製品加工装置の筐体の構成を中心に示し各部の構成を説明する。
【００２３】
同図に示されるように、衣料製品加工装置１の筐体２は、中空の直方体の形状をしており、両側面、底面、平面、背面は、いずれも断熱壁３で構成されており、前面は両開きの前面開閉扉４となっている。筐体２の内部の底面には、２本のレール部材５が敷設されており、詳細は後述するハンガー懸架カセット６は、前面から収納される際にレース部材５により車輪の動きがガイドされるようになっている。
【００２４】
ここでは図示を省略しているが、筐体２には、予熱徐冷用の加熱ドライエアーと過熱水蒸気の各注入口と上下排気口が設けられ、各注入口は、熱交換温調された給気パイプと過熱水蒸気発生器とに接続されている。過熱水蒸気発生器の使用は、ボイラー等の外部蒸気を減圧し、直接吹き込みとし、過熱水蒸気発生器に代えもできる。この場合は流路に温度調整用電熱ヒーターを加える。
【００２５】
次に、図２には、本実施形態に係る衣料製品加工装置の一部であるハンガー懸架カセットの構成を示し説明する。
【００２６】
同図に示されるように、ハンガー懸架カセット６は、金属枠７を直方体の空間を作り出すように組み立てることで構成されており、上部には、２本の懸架支柱９が配設されている。また、底面には車輪８が設けられている。懸架支柱９には、対象製品を吊るした複数のハンガー１０が掛けられることになる。より詳細には、ハンガー１０には、外部で予め乾燥させた加工対象製品が吊るされ、該ハンガー１０は懸架支柱に懸架される。ハンガー１０は、ハンガー懸架カセット６内に偏り少なくバランス良く配置する。その後、ハンガー懸架カセット６を筐体２の内部に収容する。
【００２７】
次に、図３には、本実施形態に係る衣料製品加工装置の一部である蒸熱処理系の構成を示し説明する。図１では図示を省略していたが、筐体２には、この蒸熱処理系の機能が実装されている。ここでは、筐体に蒸熱処理系の機能を実装したものを蒸熱処理ボックス１６と称することとする。
【００２８】
同図に示されるように、蒸熱処理ボックス１６は、熱交換器１１を備えており、該熱交換器１１は加熱エアーパイプ１２に接続されている。の加熱エアーパイプ１２は、筐体２の内部の底面に２つに分岐して敷設されており、パイプ表面には加熱エアーの排出用の複数の開口部が設けられている。蒸熱処理ボックス１６は、過熱水蒸気発生器１３を備えており、該過熱水蒸気発生器１３は、過熱水蒸気投入パイプ１４に接続されている。過熱水蒸気投入パイプ１４は、筐体２の内部の底面に２つに分岐して敷設されており、パイプ表面には過熱水蒸気の排出用の複数の開口部が設けられている。このほか、筐体２の側面上部には、排気孔１５が２箇所設けられている。
【００２９】
蒸熱処理ボックス１６は、高温外部ボイラーの飽和蒸気供給環境下にあるので、加熱ドライエアーは外部ボイラーからの蒸気にて熱交換器１１を経て供給される。本衣料製品加工装置１に使用する過熱水蒸気発生器１３としては、外部蒸気をシーズヒーターにより再加熱するシンプルな構造のものを使用している。外部ボイラー蒸気が６気圧以上と十分高圧高熱である場合は、加熱ドライエアーを１００℃以上とし、蒸熱処理ボックス１６内を１００℃に維持することができる。その場合は、シーズヒーター等による再加熱をも省くことができる。また、外部ボイラー飽和蒸気を熱交換器経由の加熱ドライエアーと減圧生蒸気の２経路にて併用することができる。
【００３０】
衣料製品の加工では、過熱水蒸気投入時に、飽和温度以下の対象に接して、蒸熱処理ボックス１６内、ハンガー懸架カセット６、製品ハンガー１０、加工対象製品に対する結露及び薬剤の滴下を回避する為に、８０℃前後の温度による「予熱工程」を経た後、過熱水蒸気を投入し「蒸熱工程」に移行するようにしている。さらに、所定温度、所定時間での蒸熱工程の完了後、蒸熱処理ボックス内から過熱水蒸気を加熱ドライエアーにより排除して、結露を避けながら常温エアーで徐冷する「徐冷工程」を経ることとしている。
【００３１】
なお、ポリエステル繊維衣料製品を加工するに際して、加工の目的に合わせた前工程である「薬剤処理」を予め行う。薬剤には、糊剤、染料、可溶化剤、濃染剤、均染剤、脱色剤、機能付与剤の転着を、転着処理、スプレー処理、刷毛塗り等手工処理などの先行処理にて行う。ポリエステル繊維は、保水性、比熱は比較的小さい、染料、脱色剤、形質変化、機能薬剤などの反応時に水分を介して溶融拡散で反応が促進される。過熱水蒸気から水分を確保するには保湿効果を持つ薬剤を処方している。
【００３２】
ここで、蒸熱処理ボックスにおける温度センサの配置は、図４に示される。
【００３３】
同図に示されるように、本実施形態に係る衣料製品加工装置１では、蒸熱処理ボックス１６内の６面各所に留点温度計を１０カ所配設して、最高温度又は特定複数個所の温度を計測し、それらが許容範囲であるか否かを確認し、その結果、Ａ点、Ｂ点の２か所の２点温度を指標箇所と定義することとした。
【００３４】
即ち、この例では、蒸熱処理ボックス内の上下左右深度３方向中央１０カ所に配した温度計測点により、温度分布の確認と、その中の基点（Ａ点、Ｂ点）の温度により、過熱水蒸気投入の温度と量の制御を行う方式を採用している。
【００３５】
以下、図５のフローチャートを参照して、本発明の一実施形態に係る衣料製品の加工方法の処理の流れを詳細に説明する。
【００３６】
先ず、ポリエステル繊維からなる衣料製品を加工するに際して、加工の目的に合わせた前工程である薬剤処理を予め行う。その詳細は前述した通りである。
【００３７】
続いて、薬剤処理の完了したポリエステル繊維からなる衣料製品を、熱容量の小さい素材で出来た製品ハンガー１０に吊るす。このとき、直接接触による加熱水分ムラなどの危惧ある場合には糸吊りとするのが望ましい。製品を吊るした製品ハンガー１０は、ハンガー懸架カセット６の懸架支柱９に所定の間隔でセットする。このとき、素材、目付、枚数などにより、セット位置のバランスを配慮する（Ｓ１）。
【００３８】
続いて、ハンガー懸架カセット６を、前面開閉の筐体２内、より詳細には蒸熱処理ボックス１６内に押入れる（Ｓ２）。そして、前面開閉扉の閉鎖を確認し、筐体２の上部の排気孔１５を開け、熱交換器１１をオンし、「予熱工程」の加熱ドライエアーの送気を始め、蒸熱処理ボックス１６内を所定温度にする（Ｓ３）。
【００３９】
蒸熱処理ボックス１６内が所定温度になったら、「過熱工程」に入る（Ｓ４）。即ち、過熱水蒸気発生器１３に投入するボイラー蒸気量を所定量とし、過熱水蒸気発生器１３の出口温度を所定温度にし、蒸熱処理ボックス１６内が所定温度に到達するまで待機する。加工対象の衣料製品の量や外気温などにより、蒸熱処理ボックス１６外への流出熱量も変動するので、排気バルブ開閉、過熱水蒸気発生器１３への投入蒸気量、出口温度の設定を調整する。加工内容と外部条件により各設定条件はパターン化されているので、加工内容による所定温度での処理時間の保持は容易に実現することができる。
【００４０】
加工内容に応じた、処理温度、処理時間が保持でき、過熱工程が完了すると、徐冷工程に入る（Ｓ５）。即ち、少しの結露、濡れは問題ないが、蒸熱処理ボックス１６内の条件の安定には、乾燥状態での製品カセットの引出しが望ましいので、まず処理ボックス内に滞留する過熱水蒸気を、加熱ドライエアーにより置換排出する。その後、常温エアーで徐冷し、過熱水蒸気の排出確認ができたら、蒸熱処理ボックス１６、つまり筐体２の前面開閉扉４を開扉しハンガー懸架カセット６を引出す。
【００４１】
こうして、ハンガー懸架カセット６から製品ハンガー１０、つまり加工対象製品を取出す（Ｓ６）。ポリエステル繊維からなる衣料製品の場合、後処理として還元ソーピング、水洗乾燥で染色洗い加工は終了となる。
【００４２】
なお、ポリエステル繊維衣料製品の処理の場合は、処理内容により過熱水蒸気による蒸熱加工条件は大幅に異なる。白抜き処理、染色加工も素材の物性、生地種別、副資材の有無種類などにより、適用許容条件は異なる。
【００４３】
即ち、本実施形態に係る衣料製品加工装置１では、蒸熱処理ボックス１６内での過熱水蒸気雰囲気の温度は、大気圧下での飽和蒸気圧温度１００℃から２００℃程度の範囲で調整する。過熱水蒸気発生器１３の出口温度は５００℃（２０ＫＧ／Ｈｒとして）まで上昇させることが可能であるが、装置全体での熱量ロス、蒸熱処理ボックス１６内を所定温度にするのに、最適な過熱水蒸気発生器１３の出口温度、蒸気流入量の制御で、適用所定温度に近付け、所定時間平衡維持している。一般に、ポリエステル繊維からなる衣料製品の加工には、最高１６０℃前後を過熱水蒸気による処理温度とし、２０分程度を処理時間としているが、処理対象の素材、生地の組織、加工目的などにより変化する。
【００４４】
以上説明したように、本発明の実施形態によれば、ポリエステル繊維衣料製品を、大気圧下で、過熱水蒸気により、所定温度、時間晒すことにより、無地染、絞り縛りスプレー手工、及び薬剤糊を担体に着け製品に転着することによる着抜染の少なくともいずれかを含む後染め加工表現を加える衣料製品加工方法が提供される。したがって、この方法によれば、ポリエステル繊維衣料の縫製編立後製品に対して、無地染、着抜染め等の後染加工表現、製品の生地、縫い糸、付属品の形質変化による触覚及び視覚変化などの各種機能付与を行うことができる。尚、各種担体には、軽石、コルク、ゴム、プラスティックボール、布パック、布切れ等が用いられる。
【００４５】
さらに、本発明の実施形態によれば、ポリエステル繊維衣料製品を加工する方法であって、上記ポリエステル繊維衣料製品に対して、薬剤による、各種担体を用い、転着処理、スプレー処理、及び刷毛塗り等手工処理の少なくともいずれかの前処理を行い、過熱水蒸気により、所定温度、時間晒すことで、フェード、ブリーチ、ケミカル、アタリ、及びパッカリング表現、並びに製品の生地に形質変化、視覚触覚変化を付与し、更に機能薬剤処理による機能付与を行う衣料製品加工方法が提供される。従って、この方法によれば、ポリエステル繊維衣料の縫製編立後製品に対して、染色、抜染、フェード、ブリーチ、ケミカルなどの白抜き表現、製品の生地、縫い糸、付属品の形質変化による触覚及び視覚変化、アタリ、パッカリングの表現などの各種機能付与ができる。
【００４６】
さらに、本発明の実施形態によれば、ハンガー懸架カセットと、加熱ドライエアー及び常温エアーを排出する熱交換機と前記加熱ドライエアー及び常温エアーを導出する加熱エアーパイプと過熱水蒸気を排出する過熱水蒸気発生器と前記過熱水蒸気を導出する過熱水蒸気投入パイプとを備えた蒸熱処理ボックスと、からなる衣料製品加工装置による衣料製品加工方法であって、ポリエステル繊維衣料製品を複数枚吊るす前記ハンガー懸架カセットを、前記蒸熱処理ボックスに投入する工程と、前記加熱ドライエアーによる予熱工程（Ｓ３）と、前記過熱水蒸気による蒸熱工程（Ｓ４）と、前記加熱ドライエアー及び前記常温エアーによる徐冷工程（Ｓ５）と、を有し、前記ポリエステル繊維衣料製品に対して、薬剤による、各種担体を用い、転着処理、スプレー処理、及び刷毛塗り等手工処理の少なくともいずれかの前処理を行い、前記蒸熱工程により、前記過熱水蒸気に所定温度、時間晒すことで、フェード、ブリーチ、ケミカル、アタリ、及びパッカリング表現、並びに製品の生地に形質変化、視覚触覚変化を付与し、更に機能薬剤処理による機能付与を行う衣料製品加工方法が提供される。従って、上記効果に加えて過熱水蒸気による蒸熱工程前における製品等の結露や薬剤滴下を防止することや、過熱水蒸気による蒸熱工程後の結露等を効果的に防止することができる。
【００４７】
ここで、前記加熱ドライエアーは６０乃至１００℃であり、前記過熱水蒸気は、大気圧下での飽和蒸気圧温度が１００乃至２００℃であってよい。
【００４８】
また、本発明の実施形態によれば、バッチ式の衣料製品加工装置１であって、蒸熱処理ボックス１６と、ハンガー懸架カセット６と、を有し、前記蒸熱処理ボックス１６は、加熱ドライエアー及び常温エアーを排出する熱交換機１１と、前記加熱ドライエアー及び常温エアーを導出する加熱エアーパイプ１２と、過熱水蒸気を排出する過熱水蒸気発生器１３と、前記過熱水蒸気を導出する過熱水蒸気投入パイプ１４と、を備え、ポリエステル繊維衣料製品を複数枚吊るした前記ハンガー懸架カセット６を、前記蒸熱処理ボックス１６に投入し、前記加熱ドライエアーによる予熱工程、前記過熱水蒸気による蒸熱工程、及び前記加熱ドライエアー及び前記常温エアーによる徐冷工程の各工程を経て、取り出す衣料製品加工装置が提供される。従って、この装置によれば、ポリエステル繊維衣料の縫製編立後製品に対して、染色、抜染、フェード、ブリーチ、ケミカルなどの白抜き表現、製品の生地、縫い糸、付属品の形質変化による触覚及び視覚変化、アタリ、パッカリングの表現などの各種機能付与ができる。さらに、上記効果に加えて過熱水蒸気による蒸熱工程前における製品等の結露や薬剤滴下を防止することや、過熱水蒸気による蒸熱工程後の結露等を効果的に防止することができる。
【００４９】
ここで、前記加熱ドライエアーは６０乃至１００℃であり、前記過熱水蒸気は、大気圧下での飽和蒸気圧温度が１００乃至２００℃であってよい。
【００５０】
さらに、前記過熱水蒸気を導出する過熱水蒸気投入パイプ１４は、前記蒸熱処理ボックス１６の底面に配設置されており、空気よりも比重が小さい、又は温度が高くなるほど空気よりも比重が小さくなる前記過熱水蒸気は、前記過熱水蒸気投入パイプ１４より、前記蒸熱処理ボックス１６の下部から投入及び排気されることを特徴とする。従って、この衣料製品加工装置１によれば、懸架支柱９にハンガー掛け製品を複数枚懸架するハンガー懸架カセット６を蒸熱処理ボックス１６に置いて、過熱水蒸気を満たすとき、過熱水蒸気は空気より比重が小さい、又温度が高い程比重は小さいので、予熱温度空気に代替し過熱水蒸気により蒸熱処理ボックス内が満たされる動きを、下から投入、下から排気とすることで、蒸熱処理ボックス内の温度分布の安定化を図ることが可能となる。
【００５１】
以上、本発明の一実施形態について説明したが、本発明はこれに限定されることなくその趣旨を逸脱しない範囲で種々の改良・変更が可能であることは勿論である。
【００５２】
例えば、各工程を別ボックスとし、カセットが移動するボックス移動式や、トンネル式では製品ハンガーを懸架カセット又は回転移動チェインにセットし、移動工程ラインに予熱部、過熱水蒸気による所定温度、滞留時間による蒸熱、徐冷部を持つ連続加工設備としてもよい。この場合、蒸熱処理部の前後にエアーカーテンを置き、過熱水蒸気の漏洩の防止、水蒸気の結露を回避し、トンネル周回速度と滞留蒸熱時間の制御を別途実施する。また、工程間の加熱エアーと過熱水蒸気の区分も構成上、明確に行う。
【００５３】
また、例えば、図６に示されるように、加工対象と加工内容により、加熱式タンブラー乾燥機に、高温高圧ボイラー蒸気の下で温度調整、回転制御、風量制御を可能とする各機能を付加し、加熱ドライエアーと高温ボイラー生蒸気を減圧し、過熱水蒸気源として直接用いる軽便方式を採用することもできる。即ち、ボイラー蒸気パイプは２つに分岐されており、第１蒸気パイプ２１は熱交換器２２に接続され、第２蒸気パイプ２５は直噴となっている。熱交換器２２には吸気上面フィルタ２３が配設されており、第１蒸気パイプ２１は熱交換フィンを経由して戻り蒸気用の蒸気パイプ２４にも接続される。熱交換器２２を介してドライエアーは回転ドラム２６側へと引き込まれ、排気室の下方２７、排気フィルタ２８、排気室の上方２９を介してモーター３１により駆動される送風機３０により吸気され、排気送風路を介して外に排気される。同構成の場合、加工対象物のタンブラーへの投入量を調整し、過熱ドライエアーで１００℃前後を保ち、減圧ボイラー生蒸気を投入し、所定温度になるよう調整すればよい。
【符号の説明】
【００５４】
１…衣料製品加工装置、２…筐体、３…断熱壁、４…前面開閉扉、５…レール部材、６…ハンガー懸架カセット、７…金属枠、８…車輪、９…懸架支柱、１０…製品ハンガー、１１…熱交換器、１２…加熱エアーパイプ、１３…過熱水蒸気発生器、１４…過熱水蒸気投入パイプ、１５…排気孔、１６…蒸熱処理ボックス、２０…タンブラー乾燥機、２１…第１蒸気パイプ、２２…熱交換器、２３…吸気上面フィルタ、２４…戻り用の蒸気パイプ、２５…第２蒸気パイプ、２６…回転ドラム、２７…排気室の下方、２８…排気フィルタ、２９…排気室の上方、３０…送風機、３１…モーター。
【図１】
0006934260.tif 000002
【図２】
0006934260.tif 000003
【図３】
0006934260.tif 000004
【図４】
0006934260.tif 000005
【図５】
0006934260.tif 000006
【図６】
0006934260.tif 000007